(57)【要約】【課題】  製造上の不便さを解消するとともに配線の保守・検査を容易にし得る構造を持つことができる。【解決手段】  遊技領域に備えられ、大当りを判定するための始動領域への遊技球の入球を検知する始動領域検知部８４２と、遊技領域に大入賞領域が備えられ、大当りが判定されたことを条件に、遊技球が大入賞領域へ誘導され易い状態である開状態と遊技球が大入賞領域へ誘導され難い状態である閉状態とに変化可能な大入賞装置８とを備えている。この大入賞装置８は、始動領域検知部８４２を備えている。【選択図】       図４
2005270185.tif 000002
【特許請求の範囲】
【請求項１】
遊技領域に備えられ、大当りを判定するための始動領域への遊技球の入球を検知する始動領域検知部と、
前記遊技領域に大入賞領域が備えられ、前記大当りが判定されたことを条件に、遊技球が該大入賞領域へ誘導され易い状態である開状態と遊技球が該大入賞領域へ誘導され難い状態である閉状態とに変化可能な可変入賞装置と、
前記大入賞領域への遊技球の入球を検知する大入賞領域検知部とを備える遊技機であって、
前記可変入賞装置は、前記始動領域検知部を備えることを特徴とする遊技機。
【請求項２】
少なくとも前記可変入賞装置を備える遊技盤が備えられ、
前記可変入賞装置は、前記始動領域を入球し、前記始動領域検知部によって遊技球が検知される前の遊技球を受け入れるための球受入部を前記遊技盤の裏側に備えており、
前記球受入部は、受け入れられた遊技球が一端側から他端側へ転動可能に下り傾斜しており、該他端側に前記始動領域検知部を備えることを特徴とする請求項１に記載の遊技機。
【請求項３】
前記球受入部は、受け入れられた遊技球を整列させながら前記始動領域検知部に誘導する誘導部材を備えることを特徴とする請求項２に記載の遊技機。
【発明の詳細な説明】
【技術分野】
【０００１】
本発明は、パチンコ遊技機等の遊技機に関する。
【背景技術】
【０００２】
従来の遊技機は、遊技盤に配備された始動口に遊技球が通過したときに、始動口検知部によって遊技球が検知された場合には、大当り判定用の乱数値を抽出し、当該抽出した大当り判定用の乱数値などを含む始動記憶に基づいて識別情報（以下では単に「特別図柄」と称する）を可変表示するように構成されている。当該始動口検知部は、始動口に配備されている。
【特許文献１】特開２０００−２０２１０７号公報
【発明の開示】
【発明が解決しようとする課題】
【０００３】
しかしながら、始動口の近傍において始動口検知部のみが配備された場合には、各種コードのうち、始動口の近傍においては当該始動口検知部に接続された始動口用コードのみが存在することとなるため、当該始動口用コードのみの配線の引き回しが必要となり、製造上の不便さが生じてしまうという問題が生じていた。
【０００４】
また、始動口用コードにのみならず、大入賞口に遊技球が通過したことを検知する大入賞口検知部に接続される入賞用コードは、遊技球の払い出しや、遊技者にとって有利な状態である大当り遊技に関する配線であり、その他ランプ等に接続される装飾等用コードとは異なり、いわゆるゴト等による不正行為が行われ易い配線であるため、従業者等は、当該入賞用コードの保守・検査をする必要があった。ところが、従来の遊技機においては、各種コードが複雑な引き回しで配線されており、従業者等が保守・検査を行う際に入賞用コードのみを特定することが困難であるという問題も生じていた。
【０００５】
そこで、本発明は以上の点に鑑みてなされたものであり、製造上の不便さを解消するとともに配線の保守・検査を容易にし得る構造を持つことのできる遊技機を提供することを目的とする。
【課題を解決するための手段】
【０００６】
本発明は、以上の問題点を解決するために、遊技領域に備えられ、大当りを判定するための始動領域への遊技球の入球を検知する始動領域検知部（例えば、始動領域検知部８４２）と、遊技領域に大入賞領域が備えられ、大当りが判定されたことを条件に、遊技球が大入賞領域へ誘導され易い状態である開状態と遊技球が大入賞領域へ誘導され難い状態である閉状態とに変化可能な可変入賞装置（例えば、大入賞装置８）と、大入賞領域への遊技球の入球を検知する大入賞領域検知部（例えば、特定領域検知部８４３、一般領域検知部８４４）とを備える遊技機であって、可変入賞装置は、始動領域検知部を備えることを特徴とする。
【０００７】
このような本発明によれば、可変入賞装置が始動領域検知部を備えることにより、当該始動領域検知部とそれ以外の可変入賞装置に備えられた各部とが近接して配置可能となり、これらの部の配線が一つに纏められることが可能となるため、遊技機は、作業員による製造上の不便さを解消可能な構造を持つことができる。
【０００８】
また、始動領域検知部とそれ以外の可変入賞装置に備えられた各部とが、遊技球の払い出しや、遊技者にとって有利な状態である大当り遊技に大きく関係するため、これらの部及び配線は、いわゆるゴト等による不正行為が行われやすい部分であり、従業者等により不正行為が行われているか否かが重点的に検査されなければならない部分である。本発明では、始動領域検知部とそれ以外の可変入賞装置に備えられた各部とが近接して配置可能となり、これらの部の配線が一つに纏められることが可能となることに加え、可変入賞装置自体を中心に保守・検査が行われればよいため、遊技機は、従業者等による保守・検査を容易にし得る構造を持つことができる。
【０００９】
さらに、始動領域検知部が遊技盤の裏側に配備された裏流路に直接備えられるのではなく、可変入賞装置に備えられるため、当該始動領域検知部が裏流路部に備えられない分のスペースが空くこととなる。このスペースの分だけ始動入賞装置が下方などに配置されることにより、遊技機は、遊技球が流下し始めてから遊技球が始動領域を通過するまでの遊技領域を広く確保することができるとともに、様々な遊技球の流下態様を遊技者に視認させることが可能な構造を持つことができる。また、遊技機は、従来と比べて始動入賞装置をより下方に配置可能であることから、始動入賞装置が配置される際の自由度をより向上可能な構造を持つことができる。
【００１０】
上記発明においては、少なくとも可変入賞装置を備える遊技盤（例えば、遊技盤３０）が備えられ、可変入賞装置は、始動領域を入球し、始動領域検知部によって遊技球が検知される前の遊技球を受け入れるための球受入部を遊技盤の裏側に備えており、球受入部は、受け入れられた遊技球が一端側から他端側へ転動可能に下り傾斜しており、他端側に始動領域検知部を備えてもよい。
【００１１】
この場合には、可変入賞装置が、始動領域を入球し、始動領域検知部によって遊技球が検知される前の遊技球を受け入れるための球受入部を遊技盤の裏側に備え、当該球受入部が、受け入れられた遊技球を一端側から他端側へ転動可能に下り傾斜しており、他端側に始動領域検知部を備えることにより、始動領域へ入球された遊技球を可変入賞装置へ誘導するための誘導路が備えられていなくても、球受入部が始動領域へ入球された遊技球を直接受け入れ可能である。このため、遊技盤の裏側において始動領域と可変入賞装置との間の構造がよりシンプルとなり、遊技機は、作業員による製造上の不便さを解消可能な構造を持つことができるとともに、製造コストを低減可能な構造を持つことができる。
【００１２】
上記発明においては、球受入部は、受け入れられた遊技球を整列させながら始動領域検知部に誘導する誘導部材（例えば、誘導部材８４８）を備えてもよい。この場合には、球受入部が受け入れられた遊技球を整列させながら始動領域検知部に誘導する誘導部材を備えることにより、複数の遊技球が連続して始動領域検知部に誘導されたとしても、当該複数の遊技球は、始動領域検知部の近傍において詰まることなく、始動領域検知部を通過することができる。また、当該始動領域検知部の近傍において複数の遊技球が整列されながら連続して始動領域検知部に誘導されるため、始動領域検知部は、複数の遊技球が互いに当接されていたとしても、一つ一つ遊技球を検知することができる。
【発明の効果】
【００１３】
本発明によれば、製造上の不便さを解消するとともに配線の保守・検査を容易にし得る構造を持つことができる。
【発明を実施するための最良の形態】
【００１４】
（遊技機の構成）
本実施形態における遊技機１の構成について、図面を参照しながら説明する。図１は、本実施形態における遊技機１の全体を示す斜視図である。図２は、遊技機１を構成する各部を分解した様子を示す分解説明図である。
【００１５】
遊技機１は、図２に示すように、ガラスドア１０と、皿ユニット２０と、遊技盤３０と、発射装置４０と、ベースドア６０と、液晶表示装置７０と、木枠８０と、払出ユニット９０と、基板ユニット１００とを備えている。
【００１６】
ガラスドア１０は、図２に示すように、ベースドア６０の一端側に対して開閉可能に軸着されている。このガラスドア１０の中央には、ガラスドア１０の表側と裏側とが連通した開口部１１が形成されている。この開口部１１には透明なガラス板が配備されており、このガラス板は、ガラスドア１０が閉められた状態で、遊技盤３０の表側に向い合うように配備されている。
【００１７】
皿ユニット２０は、ガラスドア１０の下方に配置されるようにベースドア６０に取り付けられている。この皿ユニット２０には、皿ユニット２０の上方には遊技領域に遊技球を発射させるための遊技球を貯留する上皿２０ａと、皿ユニット２０の下方には入賞に関する遊技球を受け入れるための下皿２０ｂとが配備されている。
【００１８】
遊技盤３０は、ガラスドア１０に配備されたガラス板の後方に配置され、ベースドア６０の表側に取り付けられている。この遊技盤３０は、少なくとも一部が透光性を有する部材で形成されている。この部材としては、例えば、無色透明のアクリル樹脂材、ボリカーボネート樹脂又はポリアリレート樹脂等の合成樹脂が挙げられる。
【００１９】
この遊技盤３０は、該遊技盤３０の表側又は裏側において遊技球が流下可能な遊技領域を備えている。この遊技盤３０には、遊技球の流下方向に変化を与え、又は遊技領域へ射出された遊技球を受け入れる遊技部材（例えば、遊技球の流下方向に変化を与える流下方向変化部材３，４、遊技球を受け入れる一般入賞口５、始動入賞装置６又は大入賞装置８など）、遊技領域へ射出された遊技球を排出するためのアウト口７等が配備されている。また、遊技盤３０の裏側には後述するスペーサが配備されている。
【００２０】
発射装置４０は、皿ユニット２０の側方に配置されるようにベースドア６０に着脱可能に取り付けられている。この発射装置４０は、回転操作されることにより遊技盤３０上の遊技領域に向けて遊技球を発射するように構成されている。
【００２１】
ベースドア６０は、木枠８０の一端側に対して開閉可能に軸着されている。このベースドア６０の上方にはスピーカー５０を収納可能な収容部６１が備えられている。この収容部６１にはスピーカー５０が嵌め込まれ、嵌め込まれたスピーカー５０が固定部材（図示せず）により固定される。
【００２２】
また、ベースドア６０の中央付近にはベースドア６０の表側と裏側とが連通した開口部６２が形成されている。上述の遊技盤３０は、開口部６２の表側と向い合う位置にベースドア６０に配備され、液晶表示装置７０は、開口部６２の裏側と向い合う位置にベースドア６０に配置されている。これにより、遊技者は、ガラスドア１０に配備されたガラス板と、遊技盤３０のうち透光性を有する部材とを介して、液晶表示装置７０における表示領域７０ａを視認することが可能となる。
【００２３】
液晶表示装置７０は、遊技盤３０のうち透光性を有する部材の裏側に配置されるように、ベースドア６０の裏側に取り付けられている。この液晶表示装置７０は、所定の画像を表示可能に構成されている。この所定の画像には、特別図柄制御処理により可変表示及び停止表示される特別図柄、普通図柄制御処理により可変表示及び停止表示される普通図柄、人物・動物・物を想起させるキャラクターの画像、又は背景が含まれる背景画像が挙げられる。
【００２４】
また、液晶表示装置７０は、遊技盤３０に配備された透光性を有する遊技部材（例えば、一般入賞口５、風車など）の裏側において、当該遊技部材の形状に沿うような画像を表示可能に構成されている。これにより、液晶表示装置７０は、遊技部材の装飾を擬似的に行なうことができる。
【００２５】
木枠８０は、遊技場に備えられている島設備に固定される部材であり、木枠８０の一端側でベースドア６０が開閉可能に軸着されている。この木枠８０には木枠８０の表側と裏側とが連通した開口部８０ａが形成されている。この開口部８０ａにはベースドア６０、液晶表示装置７０、払出ユニット９０、基板ユニット１００等が配置されている。
【００２６】
払出ユニット９０は、木枠８０の一端側で開閉可能に軸着されている。この払出ユニット９０は、遊技場における設備によって供給される遊技球を貯留する貯留タンク９０ａを備えている。この貯留タンク９０ａに貯留された遊技球が必要に応じて払出口（図示せず）へ誘導される。
【００２７】
基板ユニット１００は、払出ユニット９０が軸着されている一端と向い合う他端に軸着されている。この基板ユニット１００には、遊技機１における動作を主に制御するための電子部品等が配備された主制御基板（図示せず）、主制御基板から出力される命令信号に基づいて演出などを制御するための電子部品等が配備された副制御基板（図示せず）などが収納されている。
【００２８】
図３は、遊技盤３０の裏面を示す斜視図である。図３に示すように、遊技盤３０は、切欠き３２と、始動入賞装置６と、大入賞装置８とを裏側に備えている。切欠き３２は、遊技盤３０の隅に備えられており、本実施形態では４つの隅に備えられている。この切欠き３２は、遊技盤３０をベースドア６０に固定するための固定部材（例えば、ネジ、釘など）を受け入れるものである。この固定部材が切欠き部３２を介してベースドア６０に嵌め込まれることにより、遊技盤３０がベースドア６０に固定される。
【００２９】
始動入賞装置６は、開閉可能な一対の羽根が始動口（図示せず；始動領域）に配備されており、当該始動口に遊技球が入球すると大当り判定用の乱数値及び大当り図柄決定用の乱数値などが抽出されるように構成されている。この始動入賞装置６は、遊技盤３０の中央よりもやや下方に備えられ、遊技盤３０の表側と裏側とが連通した開口部（図示せず）に嵌め込まれており、固定部材（図示せず）により固定されている。
【００３０】
大入賞装置８は、大当りが判定されたことを条件に、遊技球が一般領域及び特定領域へ誘導され易い状態である開状態と遊技球が一般領域及び特定領域へ誘導され難い状態である閉状態とに変化可能な可変入賞装置である。この大入賞装置８は、開閉可能な一枚の蓋体８４１（後述する図４参照）が配備されており、始動口（図示せず）への入賞を条件に抽出された大当り判定用の乱数値に基づく大当り判定の結果に応じ、該蓋体８４１が所定の設定に従って開閉されるように構成されている。この蓋体８４１が開状態となると遊技球が受け入れ易い状態となり、蓋体８４１が閉状態となると遊技球が受け入れ難い状態となる。この大入賞装置８は、始動入賞装置６の下方に備えられ、遊技盤３０の表側と裏側とが連通した開口部（図示せず）に嵌め込まれており、固定部材（図示せず）により固定されている。
【００３１】
図４は、大入賞装置８の詳細を示す図である。図４に示すように、大入賞装置８は、化粧板８１０と、カバー８２０と、大入賞本体部８４０と、裏面部材８６０とを備えている。
【００３２】
前記化粧板８１０は、カバー８２０の表面側に取り付けられるものであり、装飾が施された部材である。具体的には化粧板８１０は、キャラクターなどが描かれているシールが貼られること、キャラクターなどが直接描かれること又は特定の溝が刻まれること等により装飾が施されている。この化粧板８１０は係止片８１１を複数備えており、この係止片８１１は化粧板８１０の裏面に対して直角方向に立設され、化粧板８１０をカバー８２０の表側に係止するための爪である。
【００３３】
前記カバー８２０は、化粧板８１０と大入賞本体部８４０との間に配置されるように大入賞本体部８４０の表側に取り付けられる。このカバー８２０は、係止片８２１と、開口部８２２とを備えている。なお、カバー８２０には係止穴（図示せず）が備えられ、化粧板８１０に備えられた係止片８１１が係止穴に嵌め込まれることにより、化粧板８１０は、大入賞本体部８４０の表側で係止される。
【００３４】
係止片８２１は、カバー８２０を大入賞本体部８４０に係止するための爪である。後述する開口部８２２に蓋体８４１が配置されて、当該係止片８２１が大入賞本体部８４０に備えられた係止穴（図示せず）に嵌め込まれることにより、カバー８２０が大入賞本体部８４０に係止される。開口部８２２は、カバー８２０の中央に配備され、カバー８２０の表側と裏側とが連通した開口である。
【００３５】
前記大入賞本体部８４０は、蓋体８４１と、始動領域検知部８４２と、特定領域検知部８４３（大入賞通過検知部）と、一般領域検知部８４４（大入賞通過検知部）と、台座部８４５，８４６と、球受け部８４７と、誘導部材８４８とを備えている。
【００３６】
始動領域検知部８４２は、大当りを判定するための始動領域への遊技球の入球を検知するセンサである。この始動領域検知部８４２が遊技球を検知した場合には、主制御回路（図示せず）は識別情報の可変表示及び停止表示を実行する。なお、始動領域検知部８４２が遊技球を検知したときに、識別情報の可変表示が実行できない場合には、主制御回路（図示せず）は、識別情報の可変表示ができるようになるまで始動口への遊技球の通過があったことを始動記憶として記憶領域に記憶させる。
【００３７】
特定領域検知部８４３は、蓋体８４１の後方に備えられ、特定領域を通過する遊技球を検知するためのセンサである。この特定領域は、遊技球が通過可能であり、特定領域検知部８４３の内部を形成する流路である。また、特定領域は、蓋体８４１の開閉を所定回数だけ継続させるための遊技球を受け入れる領域である。
【００３８】
一般領域検知部８４４は、蓋体８４１の後方に備えられ、一般領域を通過する遊技球を検知するためのセンサである。この一般領域は、遊技球が通過可能であり、一般領域検知部８４４の内部を形成する流路である。また、一般領域は、開状態である蓋体８４１を通過した遊技球のうち、後述する特定領域を通過する遊技球以外の遊技球を受け入れる領域である。この特定領域と上述の一般領域とは大入賞領域に含められる。
【００３９】
上述の特定領域検知部８４３及び一般領域検知部８４４は、蓋体８４１の後方で左右に離間して配備されている。制御回路（図示せず）は、液晶表示装置７０に表示された識別情報の停止態様が所定の停止態様（例えば、”３３３”等）を構成した場合には、所定の期間が経過するまで、遊技球が一般領域及び特定領域（大入賞領域）へ誘導され難い閉状態（蓋体８４１が閉じた状態）から遊技球が一般領域及び特定領域へ誘導され易い開状態（蓋体８４１が開いた状態）となるように蓋体８４１を開放させる制御を実行する。すなわち、制御回路（図示せず）は、当該所定の期間にわたる蓋体８４１の開放動作を１ラウンドとし、当該１ラウンド内に特定領域を遊技球が通過したことを条件として次のラウンドまで蓋体８４１を開放させる制御を実行する。
【００４０】
また、始動領域検知部８４２、特定領域検知部８４３及び一般領域検知部８４４は、それぞれコードＣ１〜Ｃ３の一端が接続されており、これらのコードＣ１〜Ｃ３の他端は、主制御回路（図示せず）に接続されている。
【００４１】
台座８４５は、特定領域検知部８４３と一般領域検知部８４４との間に配備され、シーソーソレノイド８６５を載置するための部材である。この特定領域検知部８４３と一般領域検知部８４４との間には、シーソー状に作動して、特定領域及び一般領域へ誘導される遊技球の流下方向を切替えるためのシーソー部材（図示せず）が配備されており、シーソーソレノイド８６５は、当該シーソー部材の傾きを変化させて遊技球を特定領域又は一般領域のいずれかに振り分けるものである。具体的にはシーソーソレノイド８６５は、蓋体８４１が開いた当初は遊技球が特定領域検知部８４３側に流下するようにシーソー部材を傾ける。一方、シーソーソレノイド８６５は、一旦、遊技球が特定領域検知部８４３を通過した場合には、遊技球が一般領域検知部８４４側に流下するようにシーソー部材の傾きを切り替える。
【００４２】
台座８４６は、一般領域検知部８４４の側方であり、台座８４５が配備されている側とは逆の側に配置され、大入賞ソレノイド８６６を載置するための部材である。この大入賞ソレノイド８６６は蓋体８４１を開閉させるものである。
【００４３】
止め穴８４９は、裏面部材８６０を介して固定部材（図示せず）が螺着される穴である。この固定部材（図示せず）が裏面部材８６０を介して止め穴８４９に螺着されることにより、大入賞本体部８４０は裏面部材８６０に固定される。
【００４４】
球受入部８４７は、遊技盤３０の裏側に配備され、始動領域を入球し、始動領域検知部８４２によって遊技球が検知される前の遊技球を受け入れるための部材である。この球受入部８４７は、受け入れられた遊技球が一端側８４７ａから他端側８４７ｂへ転動可能に下り傾斜しており、他端側８４７ｂに始動領域検知部８４２を備えている。
【００４５】
また、球受入部８４７は、受け入れられた遊技球を整列させながら始動領域検知部８４２に誘導する誘導部材８４８を備えている。この誘導部材８４８は、球受入部８４７の面に対して直角方向に突出された凸部材であり、球受入部８４７の一端側８４７ａと他端側８４７ｂとの間に配備されている。
【００４６】
上述の球受入部８４７の上方には始動入賞装置６が備えられているため、始動入賞装置６を通過した遊技球は球受入部８４７へ向かって落下する。そして、球受入部８４７は、当該落下した遊技球を受け入れて、誘導部材８４８は、球受入部８４７の一端側８４７ａから他端側８４７ｂへ向かって転動する遊技球を整列させながら始動領域検知部８４２へ誘導する。
【００４７】
前記裏面部材８６０は、係止片８６１，８６３と、収容部８６２，８６４とを備えている。収容部８６２は、シーソーソレノイド８６５を収容可能に形成されている。収容部８６４は、大入賞ソレノイド８６６を収容可能に形成されている。係止片８６１は、収容部８６２に収容されたシーソーソレノイド８６５を係止するための爪である。係止片８６３は、収容部８６４に収容された大入賞ソレノイド８６６を収容するための爪である。
【００４８】
なお、本実施形態における可変入賞装置は、大入賞装置８であるとして説明したが、これに限定されず、一般入賞装置（例えば、始動入賞装置６及び大入賞装置８以外の装置であり、遊技球が入球すると所定数の遊技球が払い出されるように構成された装置など）であってもよい。
【００４９】
なお、本実施形態における始動入賞装置６は、遊技盤３０の中央よりもやや下側に配備されているが、これに限定されず、遊技盤３０の中央に配備されてもよい。
【００５０】
なお、本実施形態における始動領域検知部８４２と特定領域検知部８４３と一般領域検知部８４４とのそれぞれに接続されたコードＣ１〜Ｃ３が一つに纏められるとして説明したが、これに限定されず、シーソーソレノイド８６５及び大入賞ソレノイド８６６のそれぞれに接続されたコードが一つに纏められてもよい。
【００５１】
なお、大入賞装置８と制御回路（図示せず）との間で行われる信号の送受信を中継する中継基板が備えられ、この中継基板に配備された複数のピンのうち、１〜６ピンにコードＣ１〜Ｃ３が接続され、他のピンにシーソーソレノイド８６５又は大入賞ソレノイド８６６のコードなどが接続されることにより、各コードが一体化されてもよい。また、コード中継基板を介してＣ２及びＣ３が纏められた一のコードと、中継基板を介さないコードＣ１とが一つに纏められてもよい。
【００５２】
なお、本実施形態における誘導部材８４８は、凸部材で形成されているが、これに限定されず、溝であってもよい。
【００５３】
なお、本実施形態における始動領域検知部８４２と特定領域検知部８４３と一般領域検知部８４４とのそれぞれに接続されたコードＣ１〜Ｃ３を一つに纏める部材（例えば、筒状に形成された管など）が備えられてもよい。
【００５４】
（遊技機による作用及び効果）  
このような本発明によれば、大入賞装置８が始動領域検知部８４２を備えることにより、当該始動領域検知部８４２とそれ以外の大入賞装置８に備えられた特定領域検知部８４３及び一般領域検知部８４４とが近接して配置可能となり、これらの各部のコードＣ１〜Ｃ３が一つに纏められることが可能となるため、遊技機１は、作業員による製造上の不便さを解消可能な構造を持つことができる。
【００５５】
また、始動領域検知部８４２とそれ以外の大入賞装置８に備えられた特定領域検知部８４３及び一般領域検知部８４４とが、遊技球の払い出しや、遊技者にとって有利な状態である大当り遊技に大きく関係するため、これらの各部及び各配線は、いわゆるゴト等による不正行為が行われやすい部分であり、従業者等により不正行為が行われているか否かが重点的に検査されなければならない部分である。本発明では、始動領域検知部８４２とそれ以外の大入賞装置８に備えられた特定領域検知部８４３及び一般領域検知部８４４とが近接して配置可能となり、これらの各部のコードＣ１〜Ｃ３が一つに纏められることが可能となることに加え、大入賞装置自体を中心に保守・検査が行われればよいため、遊技機１は、従業者等による保守・検査を容易にし得る構造を持つことができる。
【００５６】
さらに、始動領域検知部８４２が遊技盤３０の裏側に配備された裏流路（図示せず）に直接備えられるのではなく、大入賞装置８に備えられるため、当該始動領域検知部８４２が裏流路部に備えられない分のスペースが空くことになる。このスペースの分だけ始動入賞装置６が下方などに配置されることにより、遊技機１は、遊技球が流下し始めてから遊技球が始動領域を通過するまでの遊技領域を広く確保することができるとともに、様々な遊技球の流下態様を遊技者に視認させることが可能な構造を持つことができる。また、遊技機１は、従来と比べて始動入賞装置６をより下方に配置可能であることから、始動入賞装置６が配置される際の自由度をより向上可能な構造を持つことができる。
【００５７】
また、大入賞装置８が、始動領域を入球し、始動領域検知部８４２によって遊技球が検知される前の遊技球を受け入れるための球受入部８４７を遊技盤３０の裏側に備え、当該球受入部８４７が、受け入れられた遊技球を一端側８４７ａから他端側８４７ｂへ転動可能に下り傾斜しており、他端側８４７ｂに始動領域検知部８４２を備えることにより、始動領域へ入球された遊技球を大入賞装置８へ誘導するための誘導路（図示せず）が備えられていなくても、球受入部８４７が始動領域へ入球された遊技球を直接受け入れ可能である。このため、遊技盤３０の裏側において始動入賞装置６と大入賞装置８との間の構造がよりシンプルとなり、遊技機１は、作業員による製造上の不便さを解消可能な構造を持つことができるとともに、製造コストを低減可能な構造を持つことができる。
【００５８】
さらに、球受入部８４７が受け入れられた遊技球を整列させながら始動領域検知部８４２に誘導する誘導部材８４８を備えることにより、複数の遊技球が連続して始動領域検知部８４２に誘導されたとしても、当該複数の遊技球は、始動領域検知部８４２の近傍において詰まることなく、始動領域検知部８４２を通過することができる。また、始動領域検知部８４２の近傍において複数の遊技球が整列されながら連続して始動領域検知部８４２に誘導されるため、始動領域検知部８４２は、複数の遊技球が互いに当接されていたとしても、一つ一つ遊技球を検知することができる。
【００５９】
また、近年では液晶表示装置が巨大化され、また遊技盤の中央付近に配備された飾り部材（例えば、役物、ステージ）も巨大化されたことにより、遊技球が流下可能な遊技領域が狭小化されてしまう。このため、少しでも遊技領域が広がるようにするために始動入賞装置はより下方へ配置される傾向にある。ところが、始動入賞装置がより下方に配置された場合には、始動入賞装置の上方及び下方のそれぞれに液晶表示装置及び大入賞装置が配置され、また始動入賞装置の下方であり遊技盤の裏側においては当該大入賞装置などを通過した遊技球を特定の箇所に誘導する球流路が蜜に配備されているため、始動入賞装置を通過した遊技球を検知する始動領域検知部は遊技盤の裏側にある裏流路に配備され難かった。本発明では始動領域検知部が裏流路に配備されるのではなく、大入賞装置８に配備されるため、裏流路に始動領域検知部が備えられない分のスペースが空くこととなり、遊技機１は、そのスペースの分だけ始動入賞装置を下方などに配置することが可能な構造を持つことができる。
【図面の簡単な説明】
【００６０】
【図１】本実施形態における遊技機の外観を示す図である。
【図２】本実施形態における遊技機の各部を分解した様子を示す分解図である。
【図３】本実施形態における遊技盤の裏側を示す斜視図である。
【図４】本実施形態における大入賞装置の各部を分解した様子を示す図である。
【符号の説明】
【００６１】
１…遊技機、３，４…流下方向変化部材、５…一般入賞口、６…始動入賞装置、７…アウト口、８…大入賞装置、１０…ガラスドア、１１…開口部、２０…皿ユニット、３０…遊技盤、３２…切欠き部、４０…発射装置、５０…スピーカー、６０…ベースドア、６１…収容部、６２…開口部、７０…液晶表示装置、７０ａ…表示領域、８０…木枠、８０ａ…開口部、９０…払出ユニット、９０ａ…貯留タンク、１００…基板ユニット、１２０…球通路部、８１０…化粧板、８１１…係止片、８２０…カバー、８２０…大入賞本体部、８２１…係止片、８２２…開口部、８４０…大入賞本体部、８４１…蓋体、８４２…始動領域検知部、８４３…特定領域通過検知部、８４４…一般領域通過検知部、８４５，８４６…台座部、８４８…誘導部材、８４９…穴、８６０…裏面部材、８６１，８６３…係止片、８６２，８６４…収容部、８６５…シーソーソレノイド、８６６…大入賞ソレノイド
【図１】
2005270185.tif 000003
【図２】
2005270185.tif 000004
【図３】
2005270185.tif 000005
【図４】
2005270185.tif 000006